(57)【要約】【課題】  刈刃の交換作業に工具を必要とすることなく簡単かつ迅速に行うことができる草刈機の刈刃取付構造、及び１本の刈刃で複数回の使用が可能な刈刃の提供。【解決手段】  草刈機１の原動機により回転駆動する回転ステイ２の先端に刈刃３を着脱可能に取り付ける刈刃取付構造であって、回転ステイ２は、その先端に刈刃３の取付部３１を回転ステイ２の長手方向に沿って摺動自在に差し込むための差込装着部２１を有し、回転ステイ２には、差込装着部２１の上下壁を貫通してロックピン４を差し込むロックピン装着孔２２を有し、刈刃３は平板状をなし、取付部３２には、ロックピン４を差し込むための貫通孔３３を有し、該貫通孔３３から差込方向に沿って貫通孔３３の口径より幅狭のスリット３４が形成され、ロックピン４には、スリット３４内に差込係合可能な溝部４１を備えている。【選択図】      図６
2014128230.tif 000002
【特許請求の範囲】
【請求項１】
草刈機の原動機により回転駆動する回転ステイの先端に刈刃を着脱可能に取り付ける刈刃取付構造であって、
前記回転ステイは、その先端に刈刃の取付部を回転ステイの長手方向に沿って摺動自在に差し込むための差込装着部を有し、
前記回転ステイには、差込装着部の上下壁を貫通してロックピンを差し込むロックピン装着孔を有し、
前記刈刃は平板状をなし、前記取付部には、前記ロックピンを差し込むための貫通孔を有し、該貫通孔から差込方向に沿って貫通孔の口径より幅狭のスリットが形成され、
前記ロックピンには、前記スリット内に差込係合可能な溝部を備えていることを特徴とする草刈機の刈刃取付構造。
【請求項２】
請求項１に記載の草刈機の刈刃取付構造において、
前記ロックピンにはロックピンの溝部が刈刃の取付部と一致した状態で回転ステイにおける差込装着部の外面に当接係止する頭部を有することを特徴とする草刈機の刈刃取付構造。
【請求項３】
請求項１または２に記載の草刈機の刈刃取付構造において、
前記刈刃は、刃部の両側縁部に刈刃の表裏を差し替えて使用可能な刃縁を有することを特徴とする草刈機の刈刃取付構造。
【請求項４】
請求項１又は２に記載の草刈機の刈刃取付構造において、
前記刈刃は、取付部の両端に刈刃の前後を差し替えて使用可能な刃縁を有する刃部を備え、前記スリットが前記貫通孔を中心としてそれぞれ両刃部方向ヘ向けて形成されていることを特徴とする草刈機の刈刃取付構造。
【請求項５】
請求項４記載の草刈機の刈刃取付構造において、
前記刈刃は、両刃部の両側縁部に刈刃の表裏を差し替えて使用可能な刃縁を有することを特徴とする草刈機の刈刃取付構造。
【請求項６】
草刈機の原動機により回転駆動する回転ステイの先端に交換可能に取り付けて使用される刈刃であって、
前記刈刃における刃部の両側縁部に刈刃の表裏を差し替えて使用可能な刃縁を有することを特徴とする刈刃。
【請求項７】
草刈機の原動機により回転駆動する回転ステイの先端に交換可能に取り付けて使用される刈刃であって、
前記刈刃における回転ステイへの取付部を中心としてその両端には刃縁を有する刃部を備えることを特徴とする刈刃。
【請求項８】
請求項７記載の刈刃において、
前記両刃部の両側縁部に刈刃の表裏を差し替えて使用可能な刃縁を有することを特徴とする刈刃。
【発明の詳細な説明】
【技術分野】
【０００１】
本発明は、草刈機の刈刃取付構造及び刈刃に関する。
【背景技術】
【０００２】
従来、草刈機の刈刃取付構造及び刈刃として特許文献１に記載の技術が公知になっている。
この草刈機の刈刃取付構造は、図１５、１６に示すように、刈刃（１）の取付部（２）に取付ボルト（３）を挿通する取付穴（４）を形成し、この取付穴（４）の外周部に下側へ向けて突出する凸条部（５）を形成して、この取付部（５）に取付ボルト（３）のボルト頭部（６）を受けて回転ステイ（７）の先端に締付け固定可能としたものであった。
【先行技術文献】
【特許文献】
【０００３】
【特許文献１】特開２００９−２８４８１８号公報
【発明の概要】
【発明が解決しようとする課題】
【０００４】
しかしながら、従来例の草刈機の刈刃取付構造にあっては、刈刃（１）の交換やメンテナンス時には、刈刃（１）が回転ステイ（７）の先端に取付ボルト（３）により締結固定されているため、草刈機底部の狭い空間での工具を用いた締結作業が必要で、交換作業が困難かつ面倒であるという問題があった。
また、刈刃（１）には刃縁（８）が１箇所のみであるため、一回のみの使用に限られるとう問題があった。
【０００５】
本発明の解決しようとする課題は、刈刃の交換作業に工具を必要とすることなく簡単かつ迅速に行うことができる草刈機の刈刃取付構造、及び１本の刈刃で複数回の使用が可能な刈刃を提供することにある。
【課題を解決するための手段】
【０００６】
上記課題を解決するため請求項１記載の草刈機の刈刃取付構造は、草刈機の原動機により回転駆動する回転ステイの先端に刈刃を着脱可能に取り付ける刈刃取付構造であって、
前記回転ステイは、その先端に刈刃の取付部を回転ステイの長手方向に沿って摺動自在に差し込むための差込装着部を有し、
前記回転ステイには、差込装着部の上下壁を貫通してロックピンを差し込むロックピン装着孔を有し、
前記刈刃は平板状をなし、前記取付部には、前記ロックピンを差し込むための貫通孔を有し、該貫通孔から差込方向に沿って貫通孔の口径より幅狭のスリットが形成され、
前記ロックピンには、前記スリット内に差込係合可能な溝部を備えていることを特徴とする手段とした。
【０００７】
また、請求項２記載の草刈機の刈刃取付構造は、請求項１記載の草刈機の刈刃取付構造において、
前記ロックピンにはロックピンの溝部が刈刃の取付部と一致した状態で回転ステイにおける差込装着部の外面に当接係止する頭部を有することを特徴とする手段とした。
【０００８】
また、請求項３記載の草刈機の刈刃取付構造は、請求項１又は２に記載の草刈機の刈刃取付構造において、
前記刈刃は、刃部の両側縁部に刈刃の表裏を差し替えて使用可能な刃縁を有することを特徴とする手段とした。
【０００９】
また、請求項４記載の草刈機の刈刃取付構造は、請求項１又は２に記載の草刈機の刈刃取付構造において、
前記刈刃は、取付部の両端に刈刃の前後を差し替えて使用可能な刃縁を有する刃部を備え、前記スリットが前記貫通孔を中心としてそれぞれ両刃部方向ヘ向けて形成されていることを特徴とする手段とした。
【００１０】
また、請求項５記載の草刈機の刈刃取付構造は、請求項４記載の草刈機の刈刃取付構造において、
前記刈刃は、両刃部の両側縁部に刈刃の表裏を差し替えて使用可能な刃縁を有することを特徴とする手段とした。
【００１１】
また、請求項６記載の刈刃は、草刈機の原動機により回転駆動する回転ステイの先端に交換可能に取り付けて使用される刈刃であって、
前記刈刃における刃部の両側縁部に刈刃の表裏を差し替えて使用可能な刃縁を有することを特徴とする手段とした。
【００１２】
また、請求項７記載の刈刃は、草刈機の原動機により回転駆動する回転ステイの先端に交換可能に取り付けて使用される刈刃であって、
前記刈刃における回転ステイへの取付部を中心としてその両端には刃縁を有する刃部を備えることを特徴とする手段とした。
【００１３】
また、請求項８記載の刈刃は、請求項７記載の刈刃において、
前記両刃部の両側縁部に刈刃の表裏を差し替えて使用可能な刃縁を有することを特徴とする手段とした。
【発明の効果】
【００１４】
請求項１記載の草刈機の刈刃取付構造明では、上述のように、回転ステイは、その先端に刈刃の取付部を回転ステイの長手方向に沿って摺動自在に差し込むための差込装着部を有し、回転ステイには、差込装着部の上下壁を貫通してロックピンを差し込むロックピン装着孔を有し、刈刃は平板状をなし、取付部には、ロックピンを差し込むための貫通孔を有し、該貫通孔から差込方向に沿って貫通孔の口径より幅狭のスリットが形成され、ロックピンには、スリット内に差込係合可能な溝部を備えた構成としたことで、刈刃の取付部を回転ステイの差込装着部内に差し込み、ロックピンを回転ステイのロックピン装着孔から刈刃の貫通孔を貫通して装着した後、刈刃を差込装着部から抜く方向に引き戻すことにより、ロックピンの溝部がスリットの内底部まで差し込まれ、これにより、ロックピンの抜け落ちが防止された状態で刈刃の取り付けが完了する。
この状態で回転ステイが回転すると、刈刃は遠心力でスリットの内定部に圧接した状態に維持されるので、刈刃が抜け落ちることはない。
なお、刈刃の交換は、回転ステイの差込装着部内に刈刃を押し込んで刈刃の貫通孔と回転ステイのロックピン装着孔の位置を一致させてロックピンを抜き取ることにより、回転ステイの差込装着部から刈刃を抜き取ることができる。
従って、刈刃の交換作業に工具を必要とすることなくロックピンの着脱操作のみで、簡単かつ迅速に行うことができるようになるという効果が得られる。
【００１５】
請求項２記載の草刈機の刈刃取付構造では、上述のように、ロックピンにはロックピンの溝部が刈刃の取付部と一致した状態で回転ステイにおける差込装着部の外面に当接係止する頭部を有するため、ロックピンを差し込む操作のみで、ロックピンの溝部と刈刃の取付部を一致させることができ、刈刃の交換作業を容易かつ迅速に行えるようになる。
【００１６】
請求項３記載の草刈機の刈刃取付構造では、上述のように、刈刃は、刃部の両側縁部に刈刃の表裏を差し替えて使用可能な刃縁を有するため、刈刃の表裏の差し替えで、１本の刈刃で２回の使用が可能になる。
【００１７】
請求項４記載の草刈機の刈刃取付構造では、上述のように、刈刃は、取付部の両端に刈刃の前後を差し替えて使用可能な刃縁を有する刃部を備え、前記スリットが前記貫通孔を中心としてそれぞれ両刃部方向に向けて形成された構成とすることで、刈刃の表裏の差し替えと、前後の差し替えにより、１本の刈刃で４回の使用が可能になる。
【００１８】
請求項５記載の草刈機の刈刃取付構造では、上述のように、刈刃は、両刃部の両側縁部に刈刃の表裏を差し替えて使用可能な刃縁を有するため、刈刃の表裏の差し替えで、１本の刈刃で２回の使用が可能になる。
【００１９】
請求項６記載の刈刃では、上述のように、刈刃は、両刃部の両側縁部に刈刃の表裏を差し替えて使用可能な刃縁を有する構成としたことで、刈刃の表裏の差し替えで、１本の刈刃で２回の使用が可能になる。
【００２０】
請求項７記載の刈刃では、上述のように、刈刃における回転ステイへの取付部を中心としてその両端には刃縁を有する刃部を備えることで、刈刃の前後の差し替えで、１本の刈刃で２回の使用が可能になる。
【００２１】
請求項８記載の刈刃では、上述のように、両刃部の両側縁部に刈刃の表裏を差し替えて使用可能な刃縁を有することで、刈刃の表裏の差し替えと前後の差し替えにより、１本の刈刃で４回の使用が可能になる。
【図面の簡単な説明】
【００２２】
【図１】実施例１の草刈機への刈刃の取り付け状態を示す斜視図である。
【図２】実施例１の草刈機の刈刃取付構造を示す斜視図である。
【図３】実施例１の草刈機の刈刃取付構造を示す縦断面図である。
【図４】実施例１における刈刃を示す平面図である。
【図５】実施例１におけるロックピンを示す正面図である。
【図６】実施例１におけるロックピンと刈刃との係合状態を示す説明図である。
【図７】実施例２における刈刃を示す平面図である。
【図８】実施例２における刈刃の取り付け構造を示す斜視図である。
【図９】実施例２における刈刃の取り付け構造を示す断面図である。
【図１０】実施例３における刈刃を示す平面図である。
【図１１】実施例３における刈刃の取り付け構造を示す斜視図である。
【図１２】実施例３における刈刃の取り付け構造を示す断面図である。
【図１３】実施例３の刈刃の変形例を示す平面図である。
【図１４】実施例３の刈刃の変形例を示すは平面図である。
【図１５】従来例の刈刃の取付構造を示す分解斜視図である。
【図１６】従来例の刈刃の取付構造を示す断面図である。
【発明を実施するための形態】
【００２３】
以下にこの発明の実施例を図面に基づいて説明する。
【実施例１】
【００２４】
この草刈機の刈刃取付構造は、図１〜５に示すように、草刈機１と、回転ステイ２と、刈刃３と、ロックピン４と、を主な構成として備えている。
【００２５】
さらに詳述すると、前記回転ステイ２は、図２に示すように、草刈機１の原動機によりその中央軸部を中心として平面視で時計方向に回転駆動されるものでその両端に取り付けた刈刃３で草刈が行われる。
【００２６】
前記刈刃３は、回転ステイ２の先端に交換可能に取り付けて使用されるもので、図４に示すように、平板状をなし、回転ステイ２の両端に取り付ける取付部３１と刃部３２を備え、刃部３２の両側縁部に刈刃３の表裏を差し替えて使用可能な刃縁３ａ、３ｂを有する。
【００２７】
前記回転ステイ２は、図３に示すように、その先端部に刈刃３の取付部３１を回転ステイ２の長手方向に沿って摺動自在に差し込むための差込装着部２１を備えている。
また、回転ステイ２の差込装着部２１には、その上下壁２１ａ、２１ｂを貫通してロックピン４を差し込むロックピン装着孔２２を備えている。
【００２８】
前記刈刃３の取付部３１には、図４に示すように、ロックピン４を差し込むための貫通孔３３を有し、該貫通孔３３から差込方向に沿って貫通孔３３の口径より幅狭のスリット３４が形成されている。
【００２９】
前記ロックピン４には、図５、６に示すように、スリット３４内に差込係合可能な環状の溝部４１を備えている。
また、ロックピン４には、図３に示すように、ロックピン４の溝部４１が刈刃３の取付部３１と一致した状態で回転ステイ２における差込装着部２１の上面に当接係止する頭部４２を有している。
【００３０】
また、図２、３、５に示すように、回転ステイ２における差込装着部２１の上面には、ロックピン４の頭部４２を差し込む円筒部２３を有し、頭部４２の外周の環状溝部には円筒部２３の内面と頭部４２の外周面との間をシールしてゴミの侵入を阻止するオーリング４３が装着されている。
また、回転ステイ２に於ける差込装着部２１の下壁２１ｂを回転ステイ２の回転方向斜め上方へ向けて延長させた防護柵２１ｃを形成させている。この下壁２１ｂと防護柵２１ｃは、上壁２１ａより板厚となしている。
【００３１】
次に、この実施例１の作用を説明する。
＜刈刃の取り付けについて＞
回転ステイ２の両端に対する刈刃３の取り付けは、先ず、図６（ｃ）、（ｂ）に示すように、刈刃３の取付部３１を回転ステイ２の差込装着部２１内に差し込み、ロックピン４を回転ステイ２のロックピン装着孔２２から刈刃３の貫通孔３３を貫通して装着した後、図６（ａ）に示すように、刈刃３を差込装着部２１から抜く方向に引き戻すことにより、図３に示すように、ロックピン４の溝部４１がスリット３４の内底部まで差し込まれ、これにより、ロックピン４の抜け落ちが防止された状態で刈刃の取り付けが完了する。
この状態で回転ステイ２が回転すると、刈刃３は遠心力でスリット３４の内定部に圧接した状態に維持されるので、刈刃３が抜け落ちることはなく、一方の刃縁３ａで草刈を行うことができる。
【００３２】
＜刈刃の取り外しについて＞
刈刃３の交換は、以上とは逆に、図６（ｂ）に示すように、回転ステイ２の差込装着部２１内に刈刃３を押し込んで刈刃３の貫通孔３３と回転ステイ２のロックピン装着孔２２の位置を一致させた状態で、図（ｃ）に示すように、ロックピン４を抜き取ることにより、回転ステイ２の差込装着部２１から刈刃３を簡単に抜き取ることができる。
【００３３】
＜刈刃の表裏差し替え＞
上記抜き取った刈刃３の表裏を差し替えて回転ステイ２に取り付けることにより、もう一方の刃縁３ｂで２度目の草刈を行うことができる。
【００３４】
次に、この実施例１の効果を説明する。
以上詳細に説明したように、実施例１の草刈機の刈刃取付構造では、刈刃３の交換作業に工具を必要とすることなくロックピン４の着脱操作のみで、簡単かつ迅速に行うことができる。
これにより、作業効率の向上が図れるようになるという効果が得られる。
【００３５】
また、ロックピン４にはロックピン４の溝部４１が刈刃３の取付部３１と一致した状態で回転ステイ２における差込装着部２１の上壁２１ａに当接係止する頭部４２を有するため、ロックピン４を差し込む操作のみで、ロックピン４の溝部４１と刈刃の３取付部３１を一致させることができ、これにより、刈刃３の交換作業を容易かつ迅速に行えるようになる。
【００３６】
また、刈刃３は、刃部３２の両側縁部に刈刃３の表裏を差し替えて使用可能な刃縁３ａ、３ｂを有するため、１本の刈刃３で２回の使用が可能になる。
これにより、ランニングコストの低減が可能になる。
【００３７】
また、回転ステイ２における差込装着部２１の上面には、ロックピン４の頭部４２を差し込む円筒部２３を有し、頭部４２の外周の環状溝部には円筒部２３の内面と頭部４２の外周面との間をシールしてゴミの侵入を阻止するオーリング４３が装着されているため、円筒部２３により頭部４２を衝撃から保護することができる。また、シールリング４３により、ゴミの侵入を阻止することができる。
【００３８】
また、回転ステイ２に於ける差込装着部２１の下壁２１ｂを回転ステイ２の回転方向斜め上方へ向けて延長させた防護柵２１ｃにより、回転ステイ２の差込装着部２１の摩耗や破損を防止することができる。また、防護柵２１ｃの傾斜により、衝撃を緩和することができるようになる。
【００３９】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００４０】
この実施例２は、実施例１における刈刃３の変形例を示すものであり、図７〜９に示すように、この実施例２の刈刃３は、取付部３１の両端に刈刃３の前後を差し替えて使用可能な刃縁３ａ、３ｃを有する刃部３２、３２を備え、スリット３３が貫通孔３３を中心としてそれぞれ両刃部２２、２２方向に向けて形成された構成としたものである。
従って、この実施例２の刈刃３によれば、刈刃３の前後を差し替えることで、１本の刈刃３で２回の使用が可能になる。
【実施例３】
【００４１】
この実施例３の刈刃３は、実施例２における刈刃３の変形例を示すもので、図１０〜１２に示すように、両刃部３２、３２の両側縁部に刈刃３の表裏を差し替えて使用可能な刃縁３ａ、３ｂ、３ｃ、３ｄを有する構成としたものである。
【００４２】
従って、この実施例３の刈刃３によれば、刈刃３の表裏の差し替えと前後の差し替えにより、１本の刈刃で４回の使用が可能になる。
なお、図１３、１４にこの実施例３の刈刃３の刃縁を傾斜させた変形例を示す。
【００４３】
以上本実施例を説明してきたが、本発明は上述の実施例に限られるものではなく、本発明の要旨を逸脱しない範囲の設計変更等があっても、本発明に含まれる。
【００４４】
例えば、実施例では、刈刃３の取り付け構造として、ロックピン４による場合を示したが、ボルト等により締結固定するようにしてもよい。
【００４５】
また、実施例１では、刈刃３の刃部３２の両側縁部に刈刃３の表裏を差し替えて使用可能な刃縁３ａ、３ｂを有する構成としたが、刃縁は一方だけでもよい。
【符号の説明】
【００４６】
１  草刈機
２  回転ステイ
２１  差込装着部
２１ａ  上壁
２１ｂ  下壁
２１ｃ  防護柵
２２  ロックピン装着孔
２３  円筒部
３  刈刃
３ａ  刃縁
３ｂ  刃縁
３ｃ  刃縁
３ｄ  刃縁
３１  取付部
３２  刃部
３３  貫通孔
３４  スリット
４  ロックピン
４１  溝部
４２  頭部
４３  オーリング
【図１】
2014128230.tif 000003
【図２】
2014128230.tif 000004
【図３】
2014128230.tif 000005
【図４】
2014128230.tif 000006
【図５】
2014128230.tif 000007
【図６】
2014128230.tif 000008
【図７】
2014128230.tif 000009
【図８】
2014128230.tif 000010
【図９】
2014128230.tif 000011
【図１０】
2014128230.tif 000012
【図１１】
2014128230.tif 000013
【図１２】
2014128230.tif 000014
【図１３】
2014128230.tif 000015
【図１４】
2014128230.tif 000016
【図１５】
2014128230.tif 000017
【図１６】
2014128230.tif 000018